(57)【要約】【課題】簡易な構成でエネルギ効率よく空気調和を行なうことができる植物栽培用ハウスを提供する。【解決手段】一般的なパイプなどの骨格材２４によりハウス骨格２２を組み付け、ハウス骨格２２の外周をビニルシートによるシート外面部材３０で覆い、シート外面部材３０に対してある程度の間隔を有するようにハウス骨格２２の内側に遮熱シートにより床面３２ａ、壁面３２ｂ、天井面３２ｃのすべての面を略密閉状にシート内面部材３２を構成し、空調装置４０を取り付ける。これにより、ハウス内部のハウス外部に対する断熱性を良好なものとし、エネルギ効率よく空気調和を行なうことができる。即ち、簡易な構成でエネルギ効率よく空気調和を行なうことができる植物栽培用ハウスとすることができる。【選択図】図１
2017042110.tif 000002
【特許請求の範囲】
【請求項１】
パイプなどの骨格材を用いて組み付けられたハウス骨格と、ビニルシートなどのシートにより前記ハウス骨格の外周を覆うように被せたシート外面部材と、を備える植物栽培用ハウスであって、
シート状素材の両面に金属箔をコーティングしてなる折り曲げ自在の遮熱シートにより、前記シート外面部材の内側に前記シート外面部材に対して間隔をもって、床面、壁面、天井面のすべての面を密閉状に形成するシート内面部材と、
前記シート内面部材の内側の空気調和を行なう空気調和装置と、
を備える植物栽培用ハウス。
【請求項２】
請求項１記載の植物栽培用ハウスであって、
前記シート内面部材は、床面については木材等により形成された床に前記遮熱シートを取り付けた状態として構成され、壁面および天井面については前記ハウス骨格に木材等により取り付けられた下地に前記遮熱シートを取り付けた状態として構成されてなる、
植物栽培用ハウス。
【請求項３】
請求項１または２記載の植物栽培用ハウスであって、
前記遮熱シートは、ガラスクロスの両面にアルミニウム箔をコーティングした状態として構成される、
植物栽培用ハウス。
【発明の詳細な説明】
【技術分野】
【０００１】
本発明は、植物栽培用ハウスに関し、詳しくは、ビニルシートなどのシートによりハウス骨格の外周を覆った植物栽培用ハウスに関する。
【背景技術】
【０００２】
従来、この種の植物栽培用ハウスとしては、天井や壁を断熱板材を用いて形成したものが提案されている（例えば、特許文献１参照）。天井を構成する断熱板材は、厚さ１０ｃｍ程の発泡材の板材の両面にアルミ箔を貼り付けて構成されており、壁を構成する断熱板材は、厚さ２０ｃｍ程の発泡材の板材のハウス内側にアルミ箔を貼り付けて構成されている。
【先行技術文献】
【特許文献】
【０００３】
【特許文献１】特許第５５９５４５２号公報
【発明の概要】
【発明が解決しようとする課題】
【０００４】
しかしながら、上述の植物栽培用ハウスでは、床が地面であり、熱が地面を介してハウス内と出入りするため、ハウスの断熱効果が低くなり、ハウス内の空気調和に比較的大きなエネルギを要してしまう。また、壁や天井に比較的厚くて重量のある断熱板材を用いるため、断熱板材を取り付けるための天井や壁を形成する必要も、重量も体格も大きくなってしまう。
【０００５】
本発明の植物栽培用ハウスは、簡易な構成でエネルギ効率よく空気調和を行なうことができる植物栽培用ハウスを提供することを主目的とする。
【課題を解決するための手段】
【０００６】
本発明の植物栽培用ハウスは、上述の主目的を達成するために以下の手段を採った。
【０００７】
本発明の植物栽培用ハウスは、
パイプなどの骨格材を用いて組み付けられたハウス骨格と、ビニルシートなどのシートにより前記ハウス骨格の外周を覆うように被せたシート外面部材と、を備える植物栽培用ハウスであって、
シート状素材の両面に金属箔をコーティングしてなる折り曲げ自在の遮熱シートにより、前記シート外面部材の内側に前記シート外面部材に対して間隔をもって、床面、壁面、天井面のすべての面を略密閉状に形成するシート内面部材と、
前記シート内面部材の内側の空気調和を行なう空気調和装置と、
を備えることを要旨とする。
【０００８】
この本発明の植物栽培用ハウスでは、パイプなどの骨格材を用いてハウス骨格を組み付け、ビニルシートなどのシートによりハウス骨格の外周を覆うように被せてシート外面部材を構成する。そして、シート状素材の両面に金属箔をコーティングしてなる折り曲げ自在の遮熱シートにより、シート外面部材の内側にシート外面部材に対して間隔をもって、床面、壁面、天井面のすべての面を密閉状にシート内面部材を形成する。ここで、「密閉状」とは、完全に密閉されている状態だけでなく、空気調和装置の取り付けの隙間や換気、人や機材を搬入出する扉の隙間など、若干の隙間を有している状態も含まれる。このように、シート外面部材とシート内面部材との二重構造とすることにより、ハウス内部をハウス外部から効果的に遮熱することができる。しかも、シート内面部材として遮熱シートを用いるから、ハウス内部をハウス外部からより効果的に遮熱することができる。これらの結果、シート内面部材の内側、即ちハウス内部の空気調和に必要なエネルギを小さくすることができる。また、シート内面部材は、シート状素材の両面に金属箔をコーティングしてなる折り曲げ自在の遮熱シートを用いているから、床や壁、天井を板材により形成する必要もない。このため、ハウスを軽量なものとすることができる。ここで「遮熱シート」としては、ガラスクロスの両面にアルミニウム箔をコーティングした状態として構成されるものとしてもよい。この場合、遮熱シートの厚みは０．３ｍｍ以下とするのが好ましい。
【０００９】
こうした本発明の植物栽培用ハウスにおいて、前記シート内面部材は、床面については木材等により形成された床に前記遮熱シートを取り付けた状態として構成され、壁面および天井面については前記ハウス骨格に木材等により取り付けられた下地に前記遮熱シートを取り付けた状態として構成されてなるものとすることもできる。こうすれば、床における遮熱をより効果的にすることができると共に、容易に壁面や天井面を構成することができる。
【図面の簡単な説明】
【００１０】
【図１】本発明の一実施形態としての植物栽培用ハウス２０の構成の概略を示す説明図である。
【図２】実施形態の植物栽培用ハウス２０のハウス骨格２２の一例を示す外観構成図である。
【図３】遮熱シートの断面構造の一例を模式的に示す説明図である。
【発明を実施するための形態】
【００１１】
次に、本発明を実施するための形態について説明する。図１は本発明の一実施形態としての植物栽培用ハウス２０の構成の概略を示す説明図であり、図２は実施形態の植物栽培用ハウス２０の骨組みとしてのハウス骨格２２の一例を示す外観構成図であり、図３は遮熱シートの断面構造の一例を模式的に示す説明図である。
【００１２】
図１，２に示すように、実施形態の植物栽培用ハウス２０は、金属（例えばステンレスや鉄など）によるパイプや角材などの骨格材２４を用いて地面１０に組み付け固定されたハウス骨格２２と、このハウス骨格２２の外周をビニルシートによって覆うようにして構成されたシート外面部材３０と、ハウス骨格２２の内側にシート外面部材３０に対してある程度の間隔（１ｃｍ以上）をもって遮熱シートによって床面３２ａ、壁面３２ｂ、天井面３２ｃのすべての面を密閉状に構成するシート内面部材３２と、シート内面部材３２の内側の空気調和を行なう空調装置４０と、人の出入りや植物栽培に必要な機材等の搬入および搬出のための図示しない扉と、を備える。
【００１３】
骨格材２４としては、通常のビニールハウスに用いる金属製のパイプや棒材などを用いることができるほか、建築現場などに用いられる足場を組むパイプなどを用いることができる。ビニルシートとしては、通常のビニールハウスに用いるビニルシートを用いることができる他、水を透過しない種々のシートを用いることができる。
【００１４】
遮熱シートとしては、図３に示すように、心材としてガラスクロスなどの種々のシート状素材３４の両面に金属箔（例えばアルミニウム箔）３６をコーティングし、更にその表面に電食防止剤をコーティングして折り曲げ自在のシート状としたものを用いることができる。
【００１５】
床面３２ａは、図１に示す実施形態では、地面に対して一般的な床構造により床２６を作成し、その上面を遮熱シートによって覆うことにより構成する。四方の壁面３２ｂは、骨格材２４に対して木材等により図示しない間柱や胴縁などによる下地を取り付け、この下地に遮熱シートを取り付けて構成する。天井面３２ｃは、壁面３２ｂと同様に、骨格材２４に対して木材等により図示しない下地を取り付け、この下地に遮熱シートを取り付けて構成する。
【００１６】
空調装置４０は、実施形態では、室内機と室外機とを有する一般家庭用のエアコンを用いることができる。このため、植物栽培用ハウス２０には、室内機と室外機とを循環する冷媒用の図示しないパイプを通すためのパイプ用貫通孔４２が形成されている。
【００１７】
シート内面部材３２は、床面３２ａ、壁面３２ｂ、天井面３２ｃのすべての面を密閉状に構成する。上述したように、実施形態の植物栽培用ハウス２０には、空調装置２０が取り付けられていたり、人の出入りや植物栽培用の機材等の搬入出のための扉が取り付けられているため、シート内面部材３２には、ある程度の隙間が形成されるから、ある程度の密閉性は有するものの、完全密閉ではない。本明細書では、この状態を密閉状と称している。
【００１８】
次に、実施形態の植物栽培用ハウス２０の実験例について説明する。実験例の植物栽培用ハウスを以下のように構成した。ハウス骨格２４は、骨格材２４として一般建築部材の直径４８．６ｍｍで厚みが２．４ｍｍの単管パイプを用い、棟の高さが３４００ｍｍ、軒の高さが２５００ｍｍ、柱の間隔が１８２０ｍｍ〜２０００ｍｍで床面積が８ｍ×１４．５６ｍとなるよう組み付けた。シート外面部材３０は、一般農業資材の厚み０．１５ｍｍの白ビニール（シーアイ化成製の白白コート）のビニルシートを用いてハウス骨格２２を覆うことにより構成した。シート内面部材３２は、ガラスクロスの心材の両面にアルミニウム箔をコーティングし、更にその表面に電食防止コートをコーティングして厚みを０．２ｍｍとした折り曲げ自在の遮熱シートを用いて構成した。シート内面部材３２の床面３２ａは、一般建築部材の幅が９００ｍｍで長さが１８００ｍｍで厚みが１５ｍｍの板材を用いて地面から１０ｃｍ程度の位置に床を構成し、その上面に遮熱シートをタッカーにより取り付け、隣接する遮熱シートと遮熱シートとをアルミ箔テープにより貼り付けることにより構成した。シート内面部材３２の壁面３２ｂは、ハウス骨格２２の骨格材２４に木材による間柱や胴縁などの壁下地を取り付け、この壁下地に遮熱シートをタッカーにより取り付け、隣接する遮熱シートと遮熱シートとをアルミ箔テープにより貼り付けることにより構成した。シート内面部材３２の天井面３２ｃは、天井の高さが２２５０ｍｍとなるように木材により梁などの天井下地を構成し、この天井下地に遮熱シートをタッカーにより取り付け、隣接する遮熱シートと遮熱シートとをアルミ箔テープにより貼り付けることにより構成した。なお、床面３２ａと壁面３２ｂとの接合および壁面３２ｂと天井面３２ｃとの接合にもアルミ箔テープを用いた。空調装置４０は、一般家庭用壁掛けエアコン（ダイキン工業株式会社製のＡＮ５６ＳＥＰ−Ｗ（目安１８畳≒２９ｍ2））を２台取り付けた。また、実験例の植物栽培用ハウスには調湿機（ダイナエアー株式会社製ＭＰ３００）も取り付けた。なお、実験例の植物栽培用ハウスと同容積の一般建築物の空気調和を行なう場合、その断熱設計にもよるが、一般的には上記の一般家庭用壁掛けエアコンより出力の大きな業務用エアコンが複数台必要となる。
【００１９】
実験例の植物栽培用ハウスは、２０１５年６月に東京大学の附属生態調和農学機構圃場に建設し、同年８月２０日まで実験運用したところ、ハウス内の温度を２４℃〜２６℃で安定してコントロールすることができ、良好に植物の栽培を行なうことができた。
【００２０】
以上説明した実施形態の植物栽培用ハウス２０では、一般的なパイプなどの骨格材２４によりハウス骨格２２を組み付け、ハウス骨格２２の外周をビニルシートによるシート外面部材３０で覆い、シート外面部材３０に対してある程度の間隔を有するようにハウス骨格２２の内側に遮熱シートにより床面３２ａ、壁面３２ｂ、天井面３２ｃのすべての面を略密閉状にシート内面部材３２を構成する。これにより、ハウス内部のハウス外部に対する断熱性を良好なものとし、エネルギ効率よく空気調和を行なうことができる。即ち、簡易な構成でエネルギ効率よく空気調和を行なうことができる植物栽培用ハウスとすることができる。しかも、遮熱シートとして、シート状素材の両面に金属箔をコーティングしたものを用いるから、ハウス内部のハウス外部に対する断熱性をさらに良好にすることができる。さらに、地面に対してある程度の間隔を有するように床を形成し、床の上面に床面３２ａを構成するから、地面に対する断熱性を良好なものとすることができる。また、シート外面部材３０とシート内面部材３２との二重構造とすると共にシート内面部材３２を床面３２ａ、壁面３２ｂ、天井面３２ｃのすべての面を略密閉状とするように構成することにより、高い防虫効果を果たすこともできる。
【００２１】
ここで、実験例では、骨格材２４として一般建築部材の直径４８．６ｍｍで厚みが２．４ｍｍの単管パイプを用いたが、構成するパイプ骨格の強度を確保することができるものであれば、いかなるパイプ材や棒材などを用いてもよい。実験例では、シート外面部材３０として、一般農業資材の厚み０．１５ｍｍの白ビニール（シーアイ化成製の白白コート）のビニルシートを用いたが、農業用に用いられる一般的なシートを用いたり、工業用に用いられる一般的なシートを用いることもできる。実験例では、シート内面部材３２として、ガラスクロスの心材の両面にアルミニウム箔をコーティングし、更にその表面に電食防止コートをコーティングして厚みを０．２ｍｍとした折り曲げ自在の遮熱シートを用いたが、コーティングする金属箔はアルミニウム箔に限定されるものではなく他の金属箔でもよいし、心材はガラスクロスに限定されるものではなく、布状素材などのシート状素材を用いるものとしてもよい。実験例では、床面３２ａについては地面から１０ｃｍ程度の位置に構成した床の上面に遮熱シートを取り付けることにより構成したが、地面に直接遮熱シートを載置することにより構成するものとしてもよい。実験例では、壁面３２ｂについては、ハウス骨格２２の骨格材２４に木材による壁下地を取り付け、この壁下地に遮熱シートを取り付けることにより構成したが、ハウス骨格２２の骨格材２４に壁を取り付け、この壁に遮熱シートを取り付けることにより構成してもよいし、ハウス骨格２２の骨格材２４に直接遮熱シートを取り付けることにより構成するものとしてもよい。実験例では、天井面３２ｃについては、ハウス骨格２２の骨格材２４に木材による天井下地を取り付け、この天井下地に遮熱シートを取り付けることにより構成したが、ハウス骨格２２の骨格材２４に天井を取り付け、この天井の下面に遮熱シートを取り付けることにより構成してもよいし、ハウス骨格２２の骨格材２４に直接遮熱シートを取り付けることにより構成するものとしてもよい。実験例では、空調装置４０として、一般家庭用壁掛けエアコンを２台用いたが、一般家庭用エアコンを３台以上用いるものとしたり、業務用エアコンを１台または複数台用いるものとしてもよい。
【００２２】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２３】
本発明は、植物栽培用ハウスの製造産業などに利用可能である。
【符号の説明】
【００２４】
１０  地面、２０  植物栽培用ハウス、２２  ハウス骨格、２４  骨格材、２６  床、３０  シート外面部材、３２  シート内面部材、３２ａ  床面、３２ｂ  壁面、３２ｃ  天井面、３４  シート状素材、３６  金属箔、４０  空調装置、４２  パイプ用貫通孔。
【図１】
2017042110.tif 000003
【図２】
2017042110.tif 000004
【図３】
2017042110.tif 000005
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
パイプなどの骨格材を用いて組み付けられたハウス骨格と、ビニルシートなどのシートにより前記ハウス骨格の外周を覆うように被せたシート外面部材と、を備える植物栽培用ハウスであって、
シート状素材の両面に金属箔をコーティングしてなる折り曲げ自在の遮熱シートにより、前記シート外面部材の内側に前記シート外面部材に対して間隔をもって、床面、壁面、天井面のすべての面を密閉状に形成するシート内面部材と、
前記シート内面部材の内側の空気調和を行なう空気調和装置と、
を備え、
前記遮熱シートは、ガラスクロスの両面にアルミニウム箔をコーティングした状態として構成される、
植物栽培用ハウス。
【請求項２】
請求項１記載の植物栽培用ハウスであって、
前記シート内面部材は、床面については木材等により形成された床に前記遮熱シートを取り付けた状態として構成され、壁面および天井面については前記ハウス骨格に木材等により取り付けられた下地に前記遮熱シートを取り付けた状態として構成されてなる、
植物栽培用ハウス。